(57)【要約】【課題】環境照度の広い範囲にわたって被検出物を高精度に検出する。【解決手段】複数の検出回路Ｕの各々は、被検出物の有無に応じた検出信号Ｓを生成する。複数の検出回路Ｕは、感知可能な照度の範囲が相違する複数の第１検出回路Ｕ1と複数の第２検出回路Ｕ2とに区分される。駆動回路２０は、複数の第１検出回路Ｕ1を各単位期間ＰUにて駆動することで検出信号Ｓを取得する第１検出動作と、複数の第２検出回路Ｕ2を前記各単位期間ＰUにて駆動することで検出信号Ｓを取得する第２検出動作とを、環境照度に応じて選択的に実行する。【選択図】図３
2011018100.tif 000002
【特許請求の範囲】
【請求項１】
照射光の照度に応じた検出信号を各々が生成する複数の検出回路であって、所定の感度で感知可能な照度の範囲が相違する複数の第１検出回路と複数の第２検出回路とを含む複数の検出回路と、
前記複数の第１検出回路を各単位期間にて駆動して検出信号を取得する第１検出動作と、前記複数の第２検出回路を前記各単位期間にて駆動して検出信号を取得する第２検出動作とを、環境照度に応じて選択的に実行する駆動回路と
を具備する検出装置。
【請求項２】
環境照度を検出する照度検出部を具備し、
前記駆動回路は、前記照度検出部が検出した前記環境照度に応じて前記第１検出動作と前記第２検出動作とを選択的に実行する
請求項１の検出装置。
【請求項３】
照射光の照度に応じた検出信号を各々が生成する複数の検出回路であって、感知可能な照度の範囲が相違する複数の第１検出回路と複数の第２検出回路とを含む複数の検出回路と、
前記複数の検出回路から前記検出信号を取得する駆動回路と、
前記各第１検出回路の検出信号に応じた第１検出データと前記各第２検出回路の検出信号に応じた第２検出データとを生成する処理手段と、
前記第１検出データまたは前記第２検出データを環境照度に応じて選択する選択手段と
を具備する検出装置。
【請求項４】
環境照度を検出する照度検出部を具備し、
前記選択手段は、前記照度検出部が検出した前記環境照度に応じて前記第１検出データまたは前記第２検出データを選択する
請求項３の検出装置。
【請求項５】
前記第１検出回路が生成した検出信号と前記第２検出回路が生成した検出信号とから環境照度を推定する照度推定手段を具備する
請求項１または請求項３の検出装置。
【請求項６】
照射光の照度に応じた検出信号を各々が生成する複数の検出回路であって、感知可能な照度の範囲が相違する複数の第１検出回路と複数の第２検出回路とを含む複数の検出回路と、
前記複数の検出回路から前記検出信号を取得する駆動回路と、
前記各第１検出回路の前記検出信号に応じた第１検出データと前記各第２検出回路の前記検出信号に応じた第２検出データとを生成する処理手段と、
前記第１検出データと前記第２検出データとの平均を算定する平均手段と
を具備する検出装置。
【発明の詳細な説明】
【技術分野】
【０００１】
本発明は、被検出物の有無（接近や接触）を検出する技術に関する。
【背景技術】
【０００２】
利用者の身体やペン型の指示部材（スタイラス）などの被検出物を検出する技術が従来から提案されている。例えば特許文献１には、受光素子を含む複数の検出回路が表示用の画素とともに行列状に配列された表示装置が開示されている。受光素子に対する照射光の照度（強度）に応じた検出信号が複数の検出回路の各々から外部装置に出力される。
【先行技術文献】
【特許文献】
【０００３】
【特許文献１】特開２００４−３１８８１９号公報
【発明の概要】
【発明が解決しようとする課題】
【０００４】
しかし、所定の感度で受光素子が感知可能な照度は特定の範囲に限定されるから、被検出物を高精度に検出できるのは、環境照度が特定の範囲内にある場合に制約される。例えば、受光素子が感知可能な照度の範囲外に環境照度がある場合、被検出物を高精度に判別し得る有意な検出信号を取得することは困難である。以上の事情を考慮して、本発明は、環境照度の広い範囲にわたって被検出物を高精度に検出することを目的とする。
【課題を解決するための手段】
【０００５】
以上の課題を解決するために、本発明の第１の態様に係る検出装置は、照射光の照度に応じた検出信号を各々が生成する複数の検出回路であって、所定の感度で感知可能な照度の範囲が相違する複数の第１検出回路と複数の第２検出回路とを含む複数の検出回路と、複数の第１検出回路を各単位期間にて駆動して検出信号を取得する第１検出動作と、複数の第２検出回路を各単位期間にて駆動して検出信号を取得する第２検出動作とを、環境照度に応じて選択的に実行する駆動回路とを具備する。以上の態様においては、各第１検出回路の駆動で検出信号を取得する第１検出動作と、各第２検出回路の動作で検出信号を取得する第２検出動作とが、環境照度に応じて選択的に実行されるから、感知可能な照度の範囲が全部の検出回路で共通する構成と比較すると、環境照度の広い範囲にわたって被検出物を高精度に検出できるという利点がある。
【０００６】
なお、「第１検出動作と第２検出動作とを選択的に実行する」とは、駆動回路が第１検出動作を実行する場合と駆動回路が第２検出動作を実行する場合とがあることを意味する。したがって、第１検出動作および第２検出動作に加えて他の検出動作が実行され得る構成も本発明の範囲に包含される。例えば、第１検出回路や第２検出回路とは異なる第３検出回路の駆動で検出信号を取得する第３検出動作を第１検出動作および第２検出動作のほかに駆動回路が実行し得る構成は、第１検出動作を実行する場合と第２検出動作を実行する場合とが存在する以上、「第１検出動作と第２検出動作とを選択的に実行する」という要件を当然に充足する。また、「所定の感度で感知可能な照度の範囲」は、換言すると、検出信号の使用の方法や目的にとって有意なレベル（電流値や電圧値）の検出信号を検出回路が生成できる照度の範囲（例えば図４の範囲Ａ1や範囲Ａ2）である。なお、所定の感度で感知可能な照度の範囲が第１検出回路と第２検出回路とで重複するか否かは不問である。
【０００７】
第１の態様に係る検出装置の具体例において、複数の検出回路の各々は、複数の選択線と複数の検出線との各交差に対応して配置されるとともに選択線の選択により検出信号を検出線に出力し、複数の検出線は、２以上の第１検出回路が各々に接続された複数の第１検出線と、２以上の第２検出回路が各々に接続された複数の第２検出線とを含み、複数の第１検出線の各々は、複数の第２検出線の各間隙内に位置し、駆動回路は、各単位期間にて複数の選択線の各々を順次に選択する選択回路と、複数の第１検出線の各々に出力される検出信号を各単位期間にて取得する第１検出動作と、複数の第２検出線の各々に出力される検出信号を各単位期間にて取得する第２検出動作とを選択的に実行する出力回路とを含む。以上の態様においては、２以上の第１検出回路の集合（第１検出線）と２以上の第２検出回路の集合（第２検出線）とが分散して配置されるから、複数の第１検出回路（または複数の第２検出回路）が特定の領域内のみに偏在する構成と比較して、被検出物の検出に利用できる面積を確保し易いという利点がある。なお、以上の態様の具体例は例えば第１実施形態として後述される。
【０００８】
第１の態様に係る検出装置の具体例において、複数の検出回路の各々は、複数の選択線と複数の検出線との各交差に対応して配置されるとともに選択線の選択により検出信号を検出線に出力し、複数の選択線は、２以上の第１検出回路が各々に接続された複数の第１選択線と、２以上の第２検出回路が各々に接続された複数の第２選択線とを含み、複数の第１選択線の各々は、複数の第２選択線の各間隙内に位置し、駆動回路は、各単位期間にて複数の第１選択線の各々を順次に選択する第１検出動作と、各単位期間にて複数の第２選択線の各々を順次に選択する第２検出動作とを選択的に実行する選択回路と、複数の検出線の各々に出力される検出信号を各単位期間にて取得する出力回路とを含む。以上の態様においては、２以上の第１検出回路の集合（第１選択線）と２以上の第２検出回路の集合（第２選択線）とが分散して配置されるから、複数の第１検出回路（または複数の第２検出回路）が特定の領域内のみに偏在する構成と比較して、被検出物の検出に利用できる面積を確保し易いという利点がある。なお、以上の態様の具体例は例えば第２実施形態として後述される。
【０００９】
本発明の第２の態様に係る検出装置は、照射光の照度に応じた検出信号を各々が生成する複数の検出回路であって、所定の感度で感知可能な照度の範囲が相違する複数の第１検出回路と複数の第２検出回路とを含む複数の検出回路と、複数の検出回路から検出信号を取得する駆動回路と、各第１検出回路の検出信号に応じた第１検出データと各第２検出回路の検出信号に応じた第２検出データとを生成する処理手段（例えば図１０の処理部６２）と、第１検出データまたは第２検出データを環境照度に応じて選択する選択手段（例えば図１０の選択部６４）とを具備する。以上の態様においては、第１検出回路が生成した検出信号に応じた第１検出データと第２検出回路が生成した検出信号に応じた第２検出データとが環境照度に応じて選択されるから、感知可能な照度の範囲が全部の検出回路で共通する構成と比較すると、環境照度の広い範囲にわたって被検出物を高精度に検出できるという利点がある。なお、第２の態様に係る検出装置の具体例は、例えば第４実施形態として後述される。
【００１０】
なお、第２の態様において「第１検出データまたは第２検出データを選択する」とは、第１検出データを選択する場合と第２検出データを選択する場合とがあることを意味する。したがって、第１検出データおよび第２検出データとは異なる他の検出データが選択の候補となる構成も本発明の範囲に包含される。例えば、第１検出回路や第２検出回路とは異なる第３検出回路の駆動で生成された第３検出データを第１検出データおよび第２検出データのほかに処理手段が生成し、第１検出データと第２検出データと第３検出データとの何れかを選択手段が選択する構成は、第１検出データを選択する場合と第２検出データを選択する場合とが存在する以上、「第１検出データまたは第２検出データを選択する」という要件を当然に充足する。
【００１１】
第１の態様の具体例に係る検出装置は、環境照度を検出する照度検出部を具備し、駆動回路は、照度検出部が検出した環境照度に応じて第１検出動作と第２検出動作とを選択的に実行する。同様に、第２の態様の具体例に係る検出装置は、環境照度を検出する照度検出部を具備し、選択手段は、照度検出部が検出した環境照度に応じて第１検出データまたは第２検出データを選択する。以上のように照度検出部を具備する態様によれば、環境照度を容易かつ確実に取得できるという利点がある。
【００１２】
また、第１の態様または第２の態様の具体例に係る検出装置は、第１検出回路が生成した検出信号と第２検出回路が生成した検出信号とから環境照度を推定する照度推定手段（例えば図９のステップＳB2や図１１のステップＳC4を実行する制御回路３０）を具備する。以上の態様によれば、環境照度を検出する照度検出部を検出回路から独立して設置する必要がないから、検出装置の構成が簡素化されるという利点がある。なお、本発明における「環境照度」は、検出装置が設置される環境に存在する光（例えば太陽光や照明光）の照度（理想的には各検出回路に対する照射光の照度）を意味する。
【００１３】
本発明の第３の態様に係る検出装置は、照射光の照度に応じた検出信号を各々が生成する複数の検出回路であって、所定の感度で感知可能な照度の範囲が相違する複数の第１検出回路と複数の第２検出回路とを含む複数の検出回路と、複数の検出回路から検出信号を取得する駆動回路と、各第１検出回路の検出信号に応じた第１検出データと各第２検出回路の検出信号に応じた第２検出データとを生成する処理手段（例えば図１２の処理部６２）と、第１検出データと第２検出データとの平均を算定する平均手段（例えば図１２の平均部６６）とを具備する。以上の態様においては、第１検出回路が生成した検出信号に応じた第１検出データと第２検出回路が生成した検出信号に応じた第２検出データとが平均されるから、感知可能な照度の範囲が全部の検出回路で共通する構成と比較して、環境照度の広い範囲にわたって被検出物を高精度に検出できるという利点がある。なお、第３の態様に係る検出装置の具体例は、例えば第５実施形態として後述される。
【図面の簡単な説明】
【００１４】
【図１】第１実施形態に係る検出装置のブロック図である。
【図２】第１実施形態に係る検出装置の検出回路の回路図である。
【図３】第１実施形態における第１検出回路と第２検出回路との関係を示す概念図である。
【図４】第１実施形態の第１検出回路と第２検出回路との特性の相違を示す概念図である。
【図５】第１実施形態に係る検出装置の動作を示すタイミングチャートである。
【図６】第１実施形態に係る検出装置の制御回路の動作のフローチャートである。
【図７】第２実施形態における第１検出回路と第２検出回路との関係を示す概念図である。
【図８】第２実施形態に係る検出装置の動作を示すタイミングチャートである。
【図９】第３実施形態に係る検出装置の制御回路の動作のフローチャートである。
【図１０】第４実施形態に係る検出装置のブロック図である。
【図１１】第４実施形態に係る検出装置の制御回路の動作のフローチャートである。
【図１２】第５実施形態に係る検出装置のブロック図である。
【図１３】第５実施形態に係る検出装置の制御回路の動作のフローチャートである。
【発明を実施するための形態】
【００１５】
＜Ａ：第１実施形態＞
図１は、本発明の第１実施形態に係る検出装置１００Aのブロック図である。検出装置１００Aは、物体（被検出物）の検出に利用される機器（例えば、利用者の身体の接触を検出するタッチパネル）である。図１に示すように、検出装置１００Aは、複数の検出回路Ｕが配列された検出部１０と、各検出回路Ｕを駆動する駆動回路２０と、駆動回路２０を制御する制御回路３０とを具備する。駆動回路２０は、選択回路２２Aと出力回路２４Aとを含んで構成される。駆動回路２０は、複数の集積回路（チップ）で構成され得る。制御回路３０には照度検出部３４が接続される。照度検出部３４は、検出装置１００Aが設置された環境の照度（理想的には検出部１０に対する照射光の照度）ＩLを検出する検出器である。
【００１６】
検出部１０には、Ｘ方向に延在するＭ本の選択線１２と、各選択線１２に対をなしてＸ方向に延在するＭ本の初期化線１４と、Ｘ方向に交差するＹ方向に延在する２Ｎ本の検出線１６とが形成される（Ｍ，Ｎは自然数）。複数の検出回路Ｕは、Ｍ本の選択線１２（初期化線１４）と２Ｎ本の検出線１６との各交差に対応して縦Ｍ行×横２Ｎ列の行列状に配列される。
【００１７】
図２は、各検出回路Ｕの回路図である。図２においては、第ｉ行（ｉ＝１〜Ｍ）の第ｊ列（ｊ＝１〜２Ｎ）に位置する１個の検出回路Ｕが代表的に図示されている。検出回路Ｕは、被検出物の有無（接近や接触）に応じた検出信号Ｓ（Ｓ[i,j]）を生成する回路であり、図２に示すように、受光素子Ｅと増幅トランジスタＴAMPと選択スイッチＴSELと初期化スイッチＴRSTとを含んで構成される。受光素子Ｅは、当該受光素子Ｅに対する照射光の照度（強度）に応じた電流値の光電流ＩPを生成する。例えばフォトダイオードが受光素子Ｅとして好適に採用される。受光素子Ｅに対する照射光の照度は、検出部１０の上方における被検出物の有無や遠近に応じて変化する。
【００１８】
増幅トランジスタＴAMPと選択スイッチＴSELと初期化スイッチＴRSTとは、例えば、基板の表面に受光素子Ｅとともに形成されたトランジスタ（例えば、半導体層が低温ポリシリコンで形成された薄膜トランジスタ）で構成される。なお、検出回路Ｕを構成する各トランジスタの導電型は任意である。
【００１９】
増幅トランジスタＴAMPは、自身のゲートの電位に応じた検出信号（光電流ＩPを増幅した電流信号）Ｓ[i,j]を生成する要素であり、給電線１８と第ｊ列の検出線１６との間に介在する。給電線１８には電源回路（図示略）から所定の電位ＶRSTが供給される。増幅トランジスタＴAMPのゲートは受光素子Ｅ（陰極）に接続される。
【００２０】
選択スイッチＴSELは、検出信号Ｓ[i,j]の経路上に配置され、検出線１６に対する検出信号Ｓ[i,j]の出力の許否を制御する。具体的には、第ｊ列の検出回路Ｕの選択スイッチＴSELは、給電線１８と第ｊ列の検出線１６とを結ぶ経路上に、増幅トランジスタＴAMPに対して直列に配置される。第ｉ行の各検出回路Ｕにおける選択スイッチＴSELのゲートは、第ｉ行の選択線１２に対して共通に接続される。
【００２１】
初期化スイッチＴRSTは、増幅トランジスタＴAMPのゲートと給電線１８（または他の配線）との間に介在して両者の電気的な接続（導通／非導通）を制御する。第ｉ行の各検出回路Ｕにおける初期化スイッチＴRSTのゲートは、第ｉ行の初期化線１４に対して共通に接続される。
【００２２】
図３に示すように、検出部１０内の複数の検出回路Ｕは、複数の第１検出回路Ｕ1と複数の第２検出回路Ｕ2とに区分される。第１検出回路Ｕ1と第２検出回路Ｕ2とは、以下に説明するように、受光素子Ｅが所定の感度で感知可能な照度の範囲が相違する。
【００２３】
図４は、照射光の照度と受光素子Ｅの感度（例えば光電流ＩPの電流値）との関係を示すグラフである。図４の特性Ｆ1で示すように、第１検出回路Ｕ1の受光素子Ｅは、所定値αを上回る感度で範囲Ａ1内の照度の照射光を検知可能である。すなわち、範囲Ａ1内の照度の照射時に光電流ＩP（あるいは検出信号Ｓ[i,j]の電流値）が所定値を上回る。他方、所定値αを上回る感度で第２検出回路Ｕ2の受光素子Ｅが検知可能な照度の範囲Ａ2は、範囲Ａ1と比較して高照度側に分布する。受光素子Ｅが感知可能な照度の範囲は、例えば受光素子Ｅの受光層の寸法や材料などの様々な要因に応じて、第１検出回路Ｕ1と第２検出回路Ｕ2とで別個に設定される。
【００２４】
図３に示すように、第１検出回路Ｕ1は、奇数列（第(2n-1)列）に位置し、第２検出回路Ｕ2は、偶数列（第２ｎ列）に位置する（ｎ＝１〜Ｎ）。すなわち、Ｙ方向に配列するＭ個の第１検出回路Ｕ1の集合（奇数列）と、Ｙ方向に配列するＭ個の第２検出回路Ｕ2の集合（偶数列）とが、検出部１０内にてＸ方向に沿って交互に配置される。したがって、Ｎ個の第１検出回路Ｕ1とＮ個の第２検出回路Ｕ2とが１行内に存在する。
【００２５】
また、２Ｎ本の検出線１６は、図３に示すように、Ｍ個の第１検出回路Ｕ1が各々に接続されたＮ本の第１検出線１６１と、Ｍ個の第２検出回路Ｕ2が各々に接続されたＮ本の第２検出線１６２とに区分される。第１検出線１６１は奇数列（第(2n-1)列）に位置し、第２検出線１６２は偶数列（第２ｎ列）に位置する。
【００２６】
図１の制御回路３０は、各第１検出回路Ｕ1の駆動で検出信号Ｓ[i,2n-1]を取得する第１検出動作と、各第２検出回路Ｕ2の駆動で検出信号Ｓ[i,2n]を取得する第２検出動作とを、駆動回路２０に選択的に実行させる。第１検出動作は、図５に示す各単位期間（垂直走査期間）ＰUにて複数の検出回路Ｕを行単位で順次に選択し、選択行（第ｉ行）の２Ｎ個の検出回路ＵのうちＮ個の第１検出回路Ｕ1の各々が生成した検出信号Ｓ[i,2n-1]（Ｓ[i,1]，Ｓ[i,3]，Ｓ[i,5]，……，Ｓ[i,2N-1]）を各第１検出線１６１から取得する動作である。他方、第２検出動作は、複数の検出回路Ｕを各単位期間ＰUにて行単位で順次に選択し、選択行（第ｉ行）の２Ｎ個の検出回路ＵのうちＮ個の第２検出回路Ｕ2の各々が生成した検出信号Ｓ[i,2n]（Ｓ[i,2]，Ｓ[i,4]，Ｓ[i,6]，……，Ｓ[i,2N]）を各第２検出線１６２から取得する動作である。
【００２７】
制御回路３０は、照度検出部３４が検出した環境照度ＩLに応じて第１検出動作および第２検出動作の何れかを選択する。図６は、制御回路３０が駆動回路２０の動作（第１検出動作／第２検出動作）を選択する処理のフローチャートである。所定の時間毎に図６の処理が実行される。
【００２８】
図６の処理を開始すると、制御回路３０は、閾値ＩTHを設定する（ＳA1）。閾値ＩTHは、例えば操作部（図示略）に対する利用者からの操作に応じて可変に設定される。そして、制御回路３０は、照度検出部３４が検出した環境照度ＩLが閾値ＩTHを下回るか否かを判定する（ＳA2）。環境照度ＩLが閾値ＩTHを下回る場合（ＳA2：YES）、制御回路３０は、第１検出回路Ｕ1から検出信号Ｓ[i,2n-1]を取得する第１検出動作を選択する（ＳA3）。他方、環境照度ＩLが閾値ＩTHを上回る場合（ＳA2：NO）、制御回路３０は、第２検出回路Ｕ2から検出信号Ｓ[i,2n]を取得する第２検出動作を選択する（ＳA4）。
【００２９】
図１の選択回路２２Aは、各選択線１２の選択／非選択を指定する選択信号ＧSEL[i]（ＧSEL[1]〜ＧSEL[M]）を生成して第ｉ行の選択線１２に出力し、初期化信号ＧRST[i]（ＧRST[1]〜ＧRST[M]）を生成して第ｉ行の初期化線１４に出力する（図２参照）。なお、選択信号ＧSEL[1]〜ＧSEL[M]を生成する回路と初期化信号ＧRST[1]〜ＧRST[M]を生成する回路とを別個に実装した構成も採用される。
【００３０】
図５に示すように、各単位期間ＰUはＭ個の選択期間ＰSEL[1]〜ＰSEL[M]を含む。選択信号ＧSEL[i]は、各単位期間ＰU内の選択期間ＰSEL[i]にてハイレベル（第ｉ行の選択を意味するアクティブレベル）に設定され、選択期間ＰSEL[i]以外ではローレベルに維持される。初期化信号ＧRST[i]は、選択期間ＰSEL[i]の開始前の所定の期間内にてハイレベル（アクティブ）に設定され、当該期間以外ではローレベルに維持される（図示略）。
【００３１】
初期化信号ＧRST[i]がハイレベルに設定されると、第ｉ行の２Ｎ個の検出回路Ｕ（Ｕ1，Ｕ2）の各々の初期化スイッチＴRSTがオン状態に遷移する。したがって、第ｉ行の各増幅トランジスタＴAMPのゲートの電位は給電線１８の電位ＶRSTに初期化される。そして、初期化信号ＧRST[i]がローレベルに変化することで第ｉ行の各初期化スイッチＴRSTがオフ状態に遷移すると、増幅トランジスタＴAMPのゲートは電気的なフローティング状態となる。したがって、増幅トランジスタＴAMPのゲートの電位は、受光素子Ｅの光電流ＩPに応じた電位に設定される。
【００３２】
図５に示すように、選択期間ＰSEL[i]では、選択信号ＧSEL[i]がハイレベルに設定されることで、第ｉ行の２Ｎ個の検出回路Ｕ（Ｕ1，Ｕ2）の各々の選択スイッチＴSELがオン状態に遷移する。したがって、第ｉ行の２Ｎ個の検出回路Ｕの各々においては、増幅トランジスタＴAMPに流れる電流を検出信号Ｓ[i,j]として第ｊ列の検出線１６に出力することが可能な状態となる。増幅トランジスタＴAMPのゲートの電位は光電流ＩPに応じて設定されるから、検出信号Ｓ[i,j]は、受光素子Ｅに対する照射光の照度に応じた電流値の電流信号となる。
【００３３】
図１の出力回路２４Aは、図３に示すように、Ｎ個のスイッチ４２[1]〜４２[N]と信号処理回路４４とを含んで構成される。スイッチ４２[n]は、相隣接する第(2n-1)列の第１検出線１６１（ａ端）と第２ｎ列の第２検出線１６２（ｂ端）とを選択的に信号処理回路４４に導通させる。制御回路３０は、制御信号ＧXの出力でスイッチ４２[1]〜４２[N]を制御する。
【００３４】
図６の処理で第１検出動作を選択した場合、制御回路３０は、図５に示すように、第１検出線１６１（ａ端）の選択を意味するハイレベルの制御信号ＧXをスイッチ４２[1]〜４２[N]に出力する。スイッチ４２[1]〜４２[N]は、制御信号ＧXに応じてＮ本の第１検出線１６１（第１検出回路Ｕ1）を信号処理回路４４に導通させる。したがって、各単位期間ＰU内の選択期間ＰSEL[1]〜ＰSEL[M]の各々では、図５に示すように、第ｉ行の２Ｎ個の検出回路ＵのうちＮ個の第１検出回路Ｕ1にて生成されたＮ系統の検出信号Ｓ[i,2n-1]（Ｓ[i,1]，Ｓ[i,3]，Ｓ[i,5]，……，Ｓ[i,2N-1]）が各第１検出線１６１を介して信号処理回路４４に並列に供給される。すなわち、駆動回路２０（出力回路２４A）は第１検出動作を実行する。他方、信号処理回路４４とＮ本の第２検出線１６２とは電気的に絶縁されるから、各第２検出回路Ｕ2の増幅トランジスタＴAMPに電流（検出信号Ｓ[i,2n]）は流れない。
【００３５】
図６の処理で第２検出動作を選択した場合、制御回路３０は、図５に示すように制御信号ＧXをローレベル（第２検出線１６２の選択を意味するレベル）に設定することで、Ｎ本の第２検出線１６２（第２検出回路Ｕ2）を信号処理回路４４に導通させる。したがって、各単位期間ＰU内の選択期間ＰSEL[i]では、図５に示すように、第ｉ行の２Ｎ個の検出回路ＵのうちＮ個の第２検出回路Ｕ2にて生成されたＮ系統の検出信号Ｓ[i,2n]（Ｓ[i,2]，Ｓ[i,4]，Ｓ[i,6]，……，Ｓ[i,2N]）が各第２検出線１６２を介して信号処理回路４４に並列に供給される。すなわち、駆動回路２０は第２検出動作を実行する。他方、信号処理回路４４とＮ本の第１検出線１６１とは電気的に絶縁されるから、各第１検出回路Ｕ1の増幅トランジスタＴAMPに電流（検出信号Ｓ[i,2n-1]）は流れない。
【００３６】
図３の信号処理回路４４は、検出部１０から並列に供給されるＮ系統の検出信号Ｓを選択期間ＰSEL[i]内にて順次に選択して１系統の検出信号ＳOUTを出力するＰ/Ｓ（parallel to serial）変換器である。検出信号ＳOUTは、制御回路３０を介して外部装置に供給されたうえで被検出物の有無の判定や被検出物の形状の特定に利用される。なお、制御回路３０が検出信号ＳOUTを利用して被検出物の有無や形状を判別する構成も採用される。
【００３７】
以上のように、駆動回路２０は、第１検出回路Ｕ1の駆動で検出信号Ｓ[i,2n-1]を取得する第１検出動作と、第２検出回路Ｕ2の駆動で検出信号Ｓ[i,2n]を取得する第２検出動作とを、照度検出部３４が検出した環境照度ＩLに応じて選択的に実行する。したがって、受光素子Ｅが感知可能な照度の範囲が全部の検出回路Ｕにて共通する構成と比較すると、環境照度ＩLの広い範囲にわたって被検出物を高精度に検出できる（すなわち、検出信号Ｓ[i,j]の電流値のダイナミックレンジを充分に確保できる）という利点がある。例えば、検出部１０内の全部の検出回路Ｕに図４の特性Ｆ1の受光素子Ｅを搭載した構成では、環境照度ＩLが高い場合（例えば範囲Ａ2内の上限側にある場合）に被検出物の検出が困難となり、全部の検出回路Ｕに図４の特性Ｆ2の受光素子Ｅを搭載した構成では、環境照度ＩLが低い場合（例えば範囲Ａ1の下限側にある場合）に被検出物の検出が困難となる。第１実施形態においては、環境照度ＩLが低い場合（閾値ＩTHを下回る場合）には第１検出動作が実行され、環境照度ＩLが高い場合（閾値ＩTHを上回る場合）には第２検出動作が実行されるから、環境照度ＩLが範囲Ａ1および範囲Ａ2の何れにある場合でも、被検出物を明確に判別可能な検出信号Ｓ[i,j]を生成できるという利点がある。携帯電話機などの可搬型の電子機器は利用者の移動とともに環境照度ＩLが変化し易いから、以上の効果は、検出装置１００Aが可搬側の電子機器に搭載された場合に格別に有効である。
【００３８】
また、第１検出回路Ｕ1と第２検出回路Ｕ2とが選択的に利用されるから、各単位期間ＰUにて常に全部の検出回路Ｕから検出信号Ｓ[i,j]を取得する（すなわち、全部の検出回路Ｕの増幅トランジスタＴAMPに電流が流れる）構成と比較して、各検出回路Ｕを構成する要素（例えば増幅トランジスタＴAMP）の劣化を抑制することが可能である。また、各単位期間ＰUでは第１検出回路Ｕ1および第２検出回路Ｕ2の一方の増幅トランジスタＴAMPのみに電流（検出信号Ｓ[i,j]）が流れるから、常に全部の検出回路Ｕから検出信号Ｓ[i,j]を取得する構成と比較して、検出部１０内で消費される電力が削減されるという利点もある。
【００３９】
さらに、検出部１０内では第１検出回路Ｕ1と第２検出回路Ｕ2とがＸ方向に分散して配置されるから、第１検出回路Ｕ1や第２検出回路Ｕ2が検出部１０内の特定の領域に偏在する構成と比較すると、検出部１０内の全体を被検出物の検出に利用する（検出可能な面積を充分に確保する）ことが可能である。
【００４０】
＜Ｂ：第２実施形態＞
次に、本発明の第２実施形態について説明する。なお、以下の各形態において作用や機能が第１実施形態と同様である要素については、以上と同じ符号を付して各々の詳細な説明を適宜に省略する。
【００４１】
図７に示すように、検出部１０には、Ｘ方向に延在する２Ｍ本の選択線１２および初期化線１４（図示略）と、Ｙ方向に延在するＮ本の検出線１６とが形成される。したがって、複数の検出回路Ｕは、縦２Ｍ行×横Ｎ列の行列状に配列される。複数の検出回路Ｕは、奇数行に位置する第１検出回路Ｕ1と偶数行に位置する第２検出回路Ｕ2とに区分される。すなわち、Ｘ方向に配列するＮ個の第１検出回路Ｕ1の集合（奇数行）と、Ｘ方向に配列するＮ個の第２検出回路Ｕ2の集合（偶数行）とが、検出部１０内にてＹ方向に沿って交互に配置される。また、２Ｍ本の選択線１２は、Ｎ個の第１検出回路Ｕ1が各々に接続されたＭ本の第１選択線１２１と、Ｎ個の第２検出回路Ｕ2が各々に接続されたＭ本の第２選択線１２２とに区分される。
【００４２】
図７に示すように、第２実施形態の駆動回路２０は、選択回路２２Bと出力回路２４Bとを含んで構成される。出力回路２４Bは、第１実施形態の信号処理回路４４と同様に、検出部１０から並列に供給されるＮ系統の検出信号Ｓを順次に選択して１系統の検出信号ＳOUTを出力する。
【００４３】
図７に示すように、選択回路２２Bは、Ｍ個のスイッチ５２[1]〜５２[M]と信号生成回路５４とを含んで構成される。信号生成回路５４（例えばシフトレジスタ）は、図８に示すように、単位期間ＰU内の各選択期間ＰSEL[i]にて順次にハイレベル（アクティブ）に設定される制御信号Ｇ0[1]〜Ｇ0[M]を生成する。すなわち、制御信号Ｇ0[m]（ｍ＝１〜Ｍ）の波形は、第１実施形態の選択信号ＧSEL[m]と同様である。
【００４４】
図７のスイッチ５２[m]は、相隣接する第(2m-1)行の第１選択線１２１（ａ端）と第２ｍ行の第２選択線１２２（ｂ端）とを選択的に信号生成回路５４に接続する。スイッチ５２[1]〜５２[M]は、制御回路３０から供給される制御信号ＧXで制御される。制御回路３０は、図６の処理で選択した動作（第１検出動作／第２検出動作）に応じて制御信号ＧXのレベルを設定する。
【００４５】
第１検出回路Ｕ1から検出信号Ｓ[i,j]を取得する第１検出動作を選択した場合、制御回路３０は、図８に示すように、第１選択線１２１（ａ端）の選択を意味するハイレベルの制御信号ＧXをスイッチ５２[1]〜５２[M]に出力する。スイッチ５２[1]〜５２[M]は、制御信号ＧXに応じてＭ本の第１選択線１２１を信号生成回路５４に導通させる。したがって、信号生成回路５４が生成した制御信号Ｇ0[m]は、図８に示すように、選択信号ＧSEL[2m-1]（ＧSEL[1]，ＧSEL[3]，ＧSEL[5]，……，ＧSEL[2M-1]）として第(2m-1)行の第１選択線１２１に出力される。すなわち、選択回路２２Bは、Ｍ本の第１選択線１２１の各々を単位期間ＰU内の各選択期間ＰSEL[m]にて順次に選択する。
【００４６】
したがって、単位期間ＰU内の各選択期間ＰSEL[m]では、図８に示すように、第(2m-1)行のＮ個の第１検出回路Ｕ1にて生成されたＮ系統の検出信号Ｓ[2m-1,j]（Ｓ[2m-1,1]，Ｓ[2m-1,2]，Ｓ[2m-1,N]）が各検出線１６を介して出力回路２４Bに並列に供給される。すなわち、駆動回路２０（選択回路２２B）は第１検出動作を実行する。他方、信号生成回路５４とＭ本の第２選択線１２２とは電気的に絶縁されるから、各第２検出回路Ｕ2の増幅トランジスタＴAMPに電流は流れない。
【００４７】
他方、第２検出回路Ｕ2から検出信号Ｓ[i,j]を取得する第２検出動作を選択した場合、制御回路３０は、制御信号ＧXをローレベルに設定することで、Ｍ本の第２選択線１２２を信号生成回路５４に導通させる。したがって、信号生成回路５４が生成した制御信号Ｇ0[m]は、図８に示すように、選択信号ＧSEL[2m]（ＧSEL[2]，ＧSEL[4]，ＧSEL[6]，……，ＧSEL[2M]）として第２ｍ行の第２選択線１２２に出力される。すなわち、選択回路２２Bは、Ｍ本の第２選択線１２２の各々を単位期間ＰU内の各選択期間ＰSEL[m]にて順次に選択する。
【００４８】
したがって、各選択期間ＰSEL[m]では、第２ｍ行のＮ個の第２検出回路Ｕ2にて生成されたＮ系統の検出信号Ｓ[2m,j]（Ｓ[2m,1]，Ｓ[2m,2]，Ｓ[2m,N]）が各検出線１６を介して出力回路２４Bに並列に供給される。すなわち、駆動回路２０は第２検出動作を実行する。他方、信号生成回路５４とＭ本の第１選択線１２１とは電気的に絶縁されるから、各第１検出回路Ｕ1の増幅トランジスタＴAMPに電流は流れない。
【００４９】
以上のように、第１検出回路Ｕ1の駆動で検出信号Ｓ[2m-1,j]を取得する第１検出動作と、第２検出回路Ｕ2の駆動で検出信号Ｓ[2m,j]を取得する第２検出動作とが、環境照度ＩLに応じて選択的に実行されるから、第２実施形態においても第１実施形態と同様の作用および効果が実現される。
【００５０】
＜Ｃ：第３実施形態＞
第１実施形態においては照度検出部３４が環境照度ＩLを測定したが、第３実施形態では、各検出回路Ｕが生成した検出信号Ｓ[i,j]から環境照度ＩLを特定（推定）する。図９は、本発明の第３実施形態における制御回路３０が駆動回路２０の動作（第１検出動作／第２検出動作）を選択する処理のフローチャートである。第３実施形態の制御回路３０の動作は、第１実施形態（図６）の動作にステップＳB1とステップＳB2とを追加した内容である。前述のステップＳA1の実行後にステップＳB1が実行され、ステップＳB2の実行後に前述のステップＳA2が実行される。
【００５１】
ステップＳA1の実行後のステップＳB1において、制御回路３０は、検出部１０の全部の検出回路Ｕ（第１検出回路Ｕ1および第２検出回路Ｕ2の双方）から検出信号Ｓ[i,j]（検出信号ＳOUT）を取得する。例えば、制御回路３０は、制御信号ＧXをハイレベルに設定して駆動回路２０に第１検出動作を実行させることで各第１検出回路Ｕ1の検出信号Ｓ[i,2n-1]を検出信号ＳOUTとして取得し、制御信号ＧXをローレベルに設定して駆動回路２０に第２検出動作を実行させることで各第２検出回路Ｕ2の検出信号Ｓ[i,2n]を検出信号ＳOUTとして取得する。
【００５２】
そして、制御回路３０は、ステップＳB1にて取得した検出信号Ｓ[i,j]から環境照度ＩLを特定する。例えば、制御回路３０は、複数の第１検出回路Ｕ1が生成した検出信号Ｓ[i,2n-1]の電流値の平均値Ｉave1と、各第２検出回路Ｕ2が生成した検出信号Ｓ[i,2n]の電流値の平均値Ｉave2とを算定し、平均値Ｉave1および平均値Ｉave2の一方（例えば最大値）の数値を環境照度ＩLとして算定する。環境照度ＩLと閾値ＩTHとの比較（ＳA2）や比較の結果に応じた検出動作の選択（ＳA3，ＳA4）は第１実施形態と同様である。
【００５３】
以上の形態においては、検出回路Ｕからの検出信号Ｓ[i,j]に応じて環境照度ＩLが推定されるから、図１の照度検出部３４は不要である。したがって、検出装置の構成が簡素化されるという利点がある。なお、検出信号Ｓ[i,j]から環境照度ＩLを特定する方法は任意である。例えば、第１検出回路Ｕ1（または第２検出回路Ｕ2）が生成した検出信号Ｓ[i,j]の電流値（平均値）に対する所定の演算で環境照度ＩLを算定する構成も採用される。また、第３実施形態の構成は第２実施形態にも同様に適用される。
【００５４】
＜Ｄ：第４実施形態＞
図１０は、本発明の第４実施形態に係る検出装置１００Bのブロック図である。検出装置１００Bの検出部１０には複数の検出回路Ｕが縦Ｍ行×横Ｎ列の行列状に配列される。複数の検出回路Ｕは、以上の各形態と同様に第１検出回路Ｕ1と第２検出回路Ｕ2とに区分される。
【００５５】
駆動回路２０は、選択回路２２A（図３）と出力回路２４B（図７）とを含んで構成される。選択回路２２Aは、選択信号ＧSEL[1]〜ＧSEL[M]の出力で単位期間ＰU内にＭ本の選択線１２の各々を順次に選択し、出力回路２４Bは、検出部１０から並列に供給されるＮ系統の検出信号Ｓ[i,j]を順次に選択して１系統の検出信号ＳOUTを出力する。すなわち、第１実施形態から第３実施形態では、第１検出回路Ｕ1または第２検出回路Ｕ2から選択的に検出信号Ｓ[i,j]を取得したのに対し、第４実施形態においては、各第１検出回路Ｕ1および各第２検出回路Ｕ2の双方から各単位期間ＰU内にて検出信号Ｓ[i,j]を取得する。以上のように、検出信号Ｓ[i,j]の取得の段階では第１検出回路Ｕ1と第２検出回路Ｕ2と（第１検出動作と第２検出動作と）を区別しないから、図１０の制御回路３０は、制御信号ＧXを駆動回路２０に出力しない。
【００５６】
図１０に示すように、制御回路３０は、処理部６２と選択部６４とを含んで構成される。処理部６２は、第１検出回路Ｕ1に対応する検出データＤ1と第２検出回路Ｕ2に対応する検出データＤ2とを生成する。検出データＤ1は、各第１検出回路Ｕ1の検出信号Ｓ[i,j]の電流値に応じた複数（第１検出回路Ｕ1と同数）の検出値ｄ1の集合である。他方、検出データＤ2は、各第２検出回路Ｕ2の検出信号Ｓ[i,j]の電流値に応じた複数（第２検出回路Ｕ2と同数）の検出値ｄ2の集合である。すなわち、検出値ｄ1は、第１検出回路Ｕ1の受光素子Ｅの照度に応じた数値に相当し、検出値ｄ2は、第２検出回路Ｕ2の受光素子Ｅの照度に応じた数値に相当する。
【００５７】
図１０に示すように、処理部６２は、Ａ/Ｄ（analog to digital）変換器６２２と分離回路６２４とを含んで構成される。Ａ/Ｄ変換器６２２は、検出信号ＳOUT（アナログの電流信号）として出力回路２４Bから供給される各検出信号Ｓ[i,j]のＡ/Ｄ変換で各検出回路Ｕの検出値ｄ（ｄ1，ｄ2）を生成する。分離回路６２４は、Ａ/Ｄ変換器６２２による処理後の検出値ｄを検出値ｄ1と検出値ｄ2とに分離することで検出データＤ1と検出データＤ2とを生成する。選択部６４は、環境照度ＩLに応じて検出データＤ1および検出データＤ2の何れかを選択して出力する。
【００５８】
図１１は、第４実施形態における制御回路３０の動作のフローチャートである。所定の時間毎に図１１の処理が実行される。処理を開始すると、制御回路３０は、図９のステップＳA1およびステップＳB1と同様に、閾値ＩTHを設定したうえで（ＳC1）、検出部１０の全部の検出回路Ｕ（第１検出回路Ｕ1および第２検出回路Ｕ2の双方）の検出信号Ｓ[i,j]を検出信号ＳOUTとして取得する（ＳC2）。そして、制御回路３０の処理部６２は、ステップＳC2で取得した検出信号ＳOUTから検出データＤ1および検出データＤ2を生成する（ＳC3）。
【００５９】
次いで、制御回路３０は、環境照度ＩLを特定する（ＳC4）。環境照度ＩLの特定には、例えば、照度検出部３４を利用する第１実施形態の方法や、各検出回路Ｕからの検出信号Ｓ[i,j]を利用する第３実施形態の方法が採用される。そして、制御回路３０の選択部６４は、環境照度ＩLがステップＳC1の閾値ＩTHを下回るか否かを判定する（ＳC5）。環境照度ＩLが閾値ＩTHを下回る場合（ＳC5：YES）、選択部６４は、ステップＳC3で生成した検出データＤ1を選択して外部装置に出力する（ＳC6）。検出データＤ2は破棄される。他方、環境照度ＩLが閾値ＩTHを上回る場合（ＳC5：NO）、選択部６４は、ステップＳC3で生成した検出データＤ2を選択して外部装置に出力する（ＳC7）。検出データＤ1は破棄される。外部装置は、制御回路３０から選択的に出力される検出データＤ1または検出データＤ2を利用して被検出物の有無の判定や被検出物の形状の特定を実行する。なお、ステップＳC6で選択した検出データＤ1またはステップＳC7で選択した検出データＤ2を利用して制御回路３０が被検出物の有無や形状を判別する構成も採用される。
【００６０】
以上のように、第４実施形態においては、各第１検出回路Ｕ1の検出信号Ｓ[i,j]に応じた検出データＤ1（検出値ｄ1）と各第２検出回路Ｕ2の検出信号Ｓ[i,j]に応じた検出データＤ2（検出値ｄ2）とが環境照度ＩLに応じて選択される。したがって、第１実施形態と同様に、環境照度ＩLの広い範囲にわたって被検出物を高精度に検出できるという効果が実現される。また、第４実施形態においては、第１検出回路Ｕ1と第２検出回路Ｕ2とを選択的に駆動するための構成が不要であるから、第１実施形態と比較して駆動回路２０の構成が簡素化されるという利点もある。
【００６１】
＜Ｅ：第５実施形態＞
図１２は、第５実施形態に係る検出装置１００Cのブロック図である。検出装置１００Cは、第４実施形態（図１０）における制御回路３０の選択部６４を平均部６６に置換した構成である。平均部６６は、処理部６２が生成した検出データＤ1と検出データＤ2とを平均することで検出データＤOUTを生成する。検出データＤOUTは、相隣接する第１検出回路Ｕ1および第２検出回路Ｕ2の各組に対応する複数（Ｍ・Ｎ／２個）の検出値ｄ0の集合である。検出値ｄ0は、検出データＤ1における第１検出回路Ｕ1（例えば第ｉ行第ｊ列）の検出値ｄ1と、検出データＤ2における第２検出回路Ｕ2（例えば第ｉ行第(j+1)列）の検出値ｄ2との平均値に相当する。
【００６２】
図１３は、第５実施形態における制御回路３０の動作のフローチャートである。所定の時間毎に図１３の処理が実行される。処理を開始すると、制御回路３０は、図１１のステップＳC2と同様に、検出部１０の全部の検出回路Ｕ（第１検出回路Ｕ1および第２検出回路Ｕ2の双方）の検出信号Ｓ[i,j]を検出信号ＳOUTとして取得する（ＳD1）。そして、制御回路３０の処理部６２は、図１１のステップＳC3と同様に、検出信号ＳOUTから検出データＤ1および検出データＤ2を生成する（ＳD2）。制御回路３０の平均部６６は、検出データＤ1の各検出値ｄ1と検出データＤ2の各検出値ｄ2とを平均することで検出データＤOUTを生成して外部装置に出力する（ＳD3）。外部装置は、制御回路３０から出力される検出データＤOUTを利用して被検出物の有無の判定や被検出物の形状の特定を実行する。なお、ステップＳD3で生成した検出データＤOUTを利用して制御回路３０が被検出物の有無や形状を判別する構成も採用される。
【００６３】
以上のように、第５実施形態においては、各第１検出回路Ｕ1の検出信号Ｓ[i,j]に応じた検出データＤ1（検出値ｄ1）と各第２検出回路Ｕ2の検出信号Ｓ[i,j]に応じた検出データＤ2（検出値ｄ2）との平均で検出データＤOUTが生成される。すなわち、検出データＤOUTの各検出値ｄ0は、第１検出回路Ｕ1の光電流ＩPと第２検出回路Ｕ2の光電流ＩPとの双方が反映された数値となる。したがって、第１実施形態と同様に、環境照度の広い範囲にわたって被検出物を高精度に検出できるという効果が実現される。また、第１検出回路Ｕ1と第２検出回路Ｕ2とを選択的に駆動するための構成が不要であるから、第４実施形態と同様に、駆動回路２０の構成を簡素化することが可能である。さらに、第５実施形態においては、検出データＤ1と検出データＤ2との平均で検出データＤOUTが生成されるから、照度検出部３４や各検出回路Ｕを利用した環境照度の特定が不要である。したがって、検出装置１００Cの構成や動作が簡素化されるという利点もある。
【００６４】
＜Ｆ：変形例＞
以上の形態には様々な変形が加えられる。具体的な変形の態様を以下に例示する。以下の例示から任意に選択された２以上の態様は併合され得る。
【００６５】
（１）変形例１  
以上の各形態においては複数の検出回路Ｕを２種類（第１検出回路Ｕ1，第２検出回路Ｕ2）に区分したが、複数の検出回路Ｕを３種類以上に区分した構成も採用され得る。例えば、複数の検出回路ＵがＫ種類（Ｋ≧３）に区分された場合を想定すると、第１実施形態においては、スイッチ４２[n]がＫ本の検出線１６の何れかを選択的に信号処理回路４４に導通させる構成が採用され、第２実施形態においては、スイッチ５２[m]がＫ本の選択線１２の何れかを選択的に信号生成回路５４に導通させる構成が採用される。また、第４実施形態においては、処理部６２が生成したＫ個の検出データの何れかを選択部６４が選択し、第５実施形態においては、処理部６２が生成したＫ個の検出データの平均を平均部６６が算定する。
【００６６】
（２）変形例２  
第１検出回路Ｕ1および第２検出回路Ｕ2の区分の仕方は任意である。例えば、第１検出回路Ｕ1と第２検出回路Ｕ2とがＸ方向およびＹ方向の双方に隣合うように複数の検出回路Ｕを配置した構成も採用される。また、第１検出回路Ｕ1と第２検出回路Ｕ2とを分散して配置した構成は本発明において必須ではない。例えば、検出部１０内に画定された境界線からみて一方の領域に複数の第１検出回路Ｕ1を分布させるとともに他方の領域に複数の第２検出回路Ｕ2を分布させた構成も採用される。
【００６７】
（３）変形例３  
検出装置１００（１００A，１００B，１００C）の用途はタッチパネルに限定されない。例えば、利用者の指紋を検出する指紋センサや、利用者の手の静脈を検出する静脈センサ、原稿からの反射光を検出する読取装置（スキャナ）にも以上の各形態に係る検出装置１００が利用され得る。
【符号の説明】
【００６８】
１００A，１００B，１００C……検出装置、１０……検出部、Ｕ……検出回路、Ｕ1……第１検出回路、Ｕ2……第２検出回路、１２……選択線、１４……初期化線、１６……検出線、１８……給電線、２０……駆動回路、２２A，２２B……選択回路、２４A，２４B……出力回路、３０……制御回路、３４……照度検出部、４２[1]〜４２[N]……スイッチ、４４……信号処理回路、５２[1]〜５２[M]……スイッチ、５４……信号生成回路、６２……処理部、６２２……Ａ/Ｄ変換器、６２４……分離回路、６４……選択部、６６……平均部。
【図１】
2011018100.tif 000003
【図２】
2011018100.tif 000004
【図３】
2011018100.tif 000005
【図４】
2011018100.tif 000006
【図５】
2011018100.tif 000007
【図６】
2011018100.tif 000008
【図７】
2011018100.tif 000009
【図８】
2011018100.tif 000010
【図９】
2011018100.tif 000011
【図１０】
2011018100.tif 000012
【図１１】
2011018100.tif 000013
【図１２】
2011018100.tif 000014
【図１３】
2011018100.tif 000015